【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
複数の交換機構成装置のうち選択された何れか１以上の交換機構成装置にパケットネットワークを介して動作中に接続することができるコネクタ構成装置からなる電話機、及び
該パケットネットワークに結合された登録サーバ
からなり、
前記複数の交換機構成装置のうち選択された何れか１以上の交換機構成装置は１つ以上の発信及び着信電気通信サービスを該電話機へ提供するように機能し、
前記複数の交換機構成装置のうち選択された何れか１以上の交換機構成装置が該電話機に関連した１以上のコール・アピアランスをサポートするように機能し、
該コネクタ構成装置によってユーザが該１以上のコール・アピアランスの選択に備えることができ、
前記複数の交換機構成装置のうち選択された何れか１台以上の交換機構成装置が、該電話機に関連する該１以上のコール・アピアランスの選択に基づく出呼の正確な課金を定め、
該登録サーバが、該電話機に関連する電話番号として機能するボイス・オーバー・インターネット・プロトコル・ゲートウェイに対するインターネット・プロトコル・アドレスを特定し、該電話番号によって前記複数の交換機構成装置のうち選択された何れか１以上の交換機構成装置が選択されるように機能するシステム。
【請求項２】
請求項１記載のシステムにおいて、該複数の交換機構成装置が第１の交換機構成装置及び第２の交換機構成装置からなり、
該電話機が第１の電話機、及び該第１の交換機構成装置にパケットネットワークを介して動作中に接続することができるとともに該第２の交換機構成装置にパケットネットワークを介して動作中に接続することができるコネクタ構成装置からなり、
該第１の電話機は第２の電話機と共に該第２の交換機構成装置及び該パケットネットワークを介して共用コール・アピアランスを構成し、該第２の電話機は該第１の電話機と共に該第１の交換機構成装置及びネットワークを介して該共用のコール・アピアランスを構成し、及び
該第１の電話機は第３の電話機と共に該第２の交換機構成装置及び該パケットネットワークを介して第２の共用コール・アピアランスを構成し、該第３の電話機が該第１の電話機と共に該第２の交換機構成装置及びネットワークを介して該第２の共用コール・アピアランスを構成するシステム。
【請求項３】
請求項１記載のシステムにおいて、該電話機は複数のボイス・オーバー・インターネット・プロトコル・ゲートウェイのうちの選択された１つのボイス・オーバー・インターネット・プロトコル・ゲートウェイで登録可能であり、
該複数のボイス・オーバー・インターネット・プロトコル・ゲートウェイは第１のボイス・オーバー・インターネット・プロトコル・ゲートウェイ及び第２のボイス・オーバー・インターネット・プロトコル・ゲートウェイからなり、
該電話機は第１の時点で該第１のボイス・オーバー・インターネット・プロトコル・ゲートウェイに登録可能であり、
該電話機は第２の時点で該第２のボイス・オーバー・インターネット・プロトコル・ゲートウェイに登録可能であるシステム。
【請求項４】
請求項１記載のシステムにおいて、複数のサービス・プロバイダによって所有され及び／又は処理される該電話機は複数のボイス・オーバー・インターネット・プロトコル・ゲートウェイのうちの選択された１つのボイス・オーバー・インターネット・プロトコル・ゲートウェイで登録可能であり、
該複数のサービス・プロバイダは第１のサービス・プロバイダ及び第２のサービス・プロバイダからなり、該複数のボイス・オーバー・インターネット・プロトコル・ゲートウェイは第１のボイス・オーバー・インターネット・プロトコル・ゲートウェイ及び第２のボイス・オーバー・インターネット・プロトコル・ゲートウェイからなり、
該電話機は第１の時点で該第１のサービス・プロバイダの該第１のボイス・オーバー・インターネット・プロトコル・ゲートウェイに登録可能であり、
該電話機は第２の時点で該第２のサービス・プロバイダの該第２のボイス・オーバー・インターネット・プロトコル・ゲートウェイに登録可能であるシステム。
【請求項５】
複数の交換機構成装置のうち選択された何れか１以上の交換機構成装置へパケットネットワークを介して動作中に接続することができるコネクタ構成装置からなる電話機を選択するステップであって、該複数の交換機構成装置のうち選択された何れか１以上の交換機構成装置が１以上の発信及び着信電気通信サービスを電話機へ提供するように機能するステップ、
該電話機のユーザから、特定の該交換機構成装置のうち選択された何れか１以上の交換機構成装置の明示的な選択を受信するステップ、
該明示的な選択に基づいてボイス・オーバー・インターネット・プロトコル・ゲートウェイに対するインターネット・プロトコル・アドレスを特定するステップであって、該特定の該交換機構成装置のうち選択された何れか１以上の交換機構成装置が該ボイス・オーバー・インターネット・プロトコル・ゲートウェイに結合されているステップ、
該電話機を該特定の該交換機構成装置のうち選択された何れか１以上の交換機構成装置に該パケットネットワークを介して動作中に接続するために該明示的な選択を該コネクタ構成装置に適用するステップ、
該ユーザが該電話機に関連する複数のコール・アピアランスのうち１つを明示的に選択できるようにするために該コネクタ構成装置を採用するステップ、
該１つのコール・アピアランスに関連する出呼を該電話機から開始するステップ、
該電話機の該ユーザによって明示的に選択された該１つのコール・アピアランスを特定の該交換機構成装置のうち選択された何れか１以上の交換機構成装置に関連づけるステップ、及び
該電話機の該ユーザによって明示的に選択された該１つのコール・アピアランスに関連づけられた該特定の該交換機構成装置のうち選択された何れか１以上の交換機構成装置によって、該電話機によって開始された該出呼に対する課金を開始するステップ
からなる方法。
【請求項６】
請求項５記載の方法において、前記、該複数の交換機構成装置のうち選択された何れか１以上の交換機構成装置へ該パケットネットワークを介して動作中に接続することができる該コネクタ構成装置からなる該電話機を選択するステップは、
該電話機を選択して第１の電話機とするステップ、及び
該第１の電話機を選択して第２の電話機と共に該複数の交換機構成装置のうちの１つの交換機構成装置及び該パケットネットワークを介して共用コール・アピアランスを構成し、該第２の電話機は該第１の電話機と共に該交換機構成装置及びネットワークを介して該共用のコール・アピアランスを構成するステップ
からなる方法。
【請求項７】
請求項５記載の方法において、該複数の交換機構成装置が第１の交換機構成装置及び第２の交換機構成装置からなり、前記、該複数の交換機構成装置のうち選択された何れか１以上の交換機構成装置へ該パケットネットワークを介して動作中に接続することができる該コネクタ構成装置からなる該電話機を選択するステップが、
該電話機を選択して該第１の交換機構成装置に該パケットネットワークを介して動作中に接続することができるとともに該第２の交換機構成装置に該パケットネットワークを介して動作中に接続することができる該コネクタ構成装置を構成するステップ
からなる方法。
【請求項８】
請求項７記載の方法において、前記、該電話機を選択して該第１の交換機構成装置に該パケットネットワークを介して動作中に接続することができるとともに該第２の交換機構成装置に該パケットネットワークを介して動作中に接続することができる該コネクタ構成装置を構成するステップは、
該電話機を選択して第１の電話機とするステップ、
該第１の電話機を選択して第２の電話機と共に該第１の交換機構成装置及び該パケットネットワークを介して共用コール・アピアランスを構成し、該第２の電話機が該第１の電話機と共に該第１の交換機構成装置及びネットワークを介して該共用のコール・アピアランスを構成するステップ、及び
該第１の電話機を選択して第３の電話機と共に該第２の交換機構成装置及び該パケットネットワークを介して第２の共用コール・アピアランスを構成し、該第３の電話機が該第１の電話機と共に該第２の交換機構成装置及び該ネットワークを介して該第２の共用のコール・アピアランスを構成ステップ
からなる方法。
【請求項９】
請求項５記載の方法において、前記、該複数の交換機構成装置のうち選択された何れか１以上の交換機構成装置へ該パケットネットワークを介して動作中に接続することができる該コネクタ構成装置からなる該電話機を選択するステップは、
複数のサービス・プロバイダによって所有又は処理される複数のボイス・オーバー・インターネット・プロトコル・ゲートウェイのうち選択された何れか１つのボイス・オーバー・インターネット・プロトコル・ゲートウェイに登録可能である該電話機を選択するステップ
からなる方法。
【請求項１０】
請求項９記載の方法において、該複数のサービス・プロバイダが第１のサービス・プロバイダ及び第２のサービス・プロバイダからなり、該複数のボイス・オーバー・インターネット・プロトコル・ゲートウェイは第１のボイス・オーバー・インターネット・プロトコル・ゲートウェイ及び第２のボイス・オーバー・インターネット・プロトコル・ゲートウェイからなり、前記、該複数のサービス・プロバイダによって所有又は処理されている該複数のボイス・オーバー・インターネット・プロトコル・ゲートウェイのうち選択された何れか１つのボイス・オーバー・インターネット・プロトコル・ゲートウェイに登録可能である該電話機を選択するステップが、
第１の時点で該電話機を該第１のサービス・プロバイダの該第１のボイス・オーバー・インターネット・プロトコル・ゲートウェイで登録するステップ、及び
第２の時点で該電話機を該第２のサービス・プロバイダの該第２のボイス・オーバー・インターネット・プロトコル・ゲートウェイで登録するステップ
からなる方法。